(57)【要約】【目的】地下構造物の開口を閉じる蓋の表面デザインとは無関係に管理記号を設けられる新たなシステムを提供する。【構成】地下構造物の識別管理のためのシステムである。地下構造物の識別管理のための管理記号の表示部２０を、地下構造物の開口１３を形成する蓋受け枠側に設定し、その蓋受け枠１２上端の外方に位置し、かつ外部から目視可能な箇所に表示面２１を設け、そこに管理記号２２を表示したことを特徴とする。【選択図】        図１
2004204568.tif 000002
【特許請求の範囲】
【請求項１】
地下構造物の識別管理のためのシステムであって、地下構造物の識別管理のための管理記号の表示部を、地下構造物の開口を構成する蓋受け枠側に設定し、蓋受け枠上端の外方に位置し、かつ外部から目視可能な箇所に表示面を設け、そこに管理記号を表示したことを特徴とする地下構造物の識別管理システム。
【請求項２】
表示面は、蓋受け枠を構成している立ち上がり部の外方かつフランジ部の上方に設定されている請求項１記載の地下構造物の識別管理システム。
【請求項３】
表示面は、蓋受け枠の鋳造と同時に鋳造された一体構造物である請求項１又は２記載の地下構造物の識別管理システム。
【請求項４】
表示面は、蓋受け枠とは別に形成された表示部材の上面に設けられている請求項１又は２記載の地下構造物の識別管理システム。
【請求項５】
管理記号の表示部は内面と下面を有していない中空ボックス形状の部分と、その下部左右に延び出た延片とから成り、左右の延片に、蓋受け枠のフランジ部への取り付けのための手段が設けられている請求項４記載の地下構造物の識別管理システム。
【発明の詳細な説明】
【０００１】
【発明の属する技術分野】
本発明は、地下構造物の識別管理のためのシステムに関するものである。
【０００２】
【従来の技術】
地下構造物を管理するためのシステムとして、従来は、文字や数字等から成る管理記号を、地下構造物の内外を通じる部分であるマンホール等の蓋表面に設ける方法がとられていた。この場合、例えば実開平５−７７４１号、特開２００１−１５９１４５号、特開２００２−５４１６９号などに開示されているように、マンホール蓋の表面に、鋳造手段であるとか、或いは表示片を取り付けるような方法で、システムが実施される。鋳造手段によって管理記号を鋳出す方法では製造工程が煩雑になり、表示部分が破損したときにはマンホール蓋全体を再度鋳造しなければならなくなる。
【０００３】
また、蓋に表示片を取り付ける方法は、鋳造法に比較すると実施容易である
が、取り付け穴から水が内部に侵入するので不明水の原因を作る結果になった。なお、蓋表面に管理記号を鋳造する従来の方法では、管理台帳にあわせて蓋の設置場所を一致させなければならない。また設置後において、蓋は受け枠から取り外される可能性があり得るので、取り扱いの誤りが介在する余地もあった。
【０００４】
他方、地方自治体が設置主体となる地下構造物の場合、そのマンホール蓋などにはその都市の特徴となる図柄を表現したデザインを施したものが多い。そのデザインは、円形なら円形、角形なら角形をした蓋の全面を使用して特徴を表現しており、そこに、従来のような管理記号ｂを付けることにより、完成しているデザインａを損なうことになる。図１１はその１例である。上記とは逆に、管理記号を設けることを予定してデザインを決める場合にはデザイン上の制約となるという問題があった。
【０００５】
【発明が解決しようとする課題】
本発明は前記の点に着目してなされたもので、その課題は、地下構造物の開口を閉じる蓋の表面デザインとは無関係に管理記号を設けられる新たなシステムを提供することである。また本発明の他の課題は、蓋に管理記号を設ける場合のように文字や記号等の個数及び大きさの制限をなくし、自由かつ明確な表示を可能にすることである。
【０００６】
【課題を解決するための手段】
前記の課題を解決する地下構造物の識別管理のためのシステムとして、本発明は地下構造物の識別管理のための管理記号の表示部を、地下構造物の開口を構成する蓋受け枠側に設定し、蓋受け枠の上端の外方に位置し、かつ外部から目視可能な箇所に表示面を設け、そこに管理記号を表示するという手段を講じたものである。
【０００７】
地下構造物の識別管理は、該当する地下構造物の種類や系統、設置時期、設置地域その他諸々の事項の把握のために行われる。このような地下構造物の識別管理は、文字、数字、記号その他のシンボルの組み合わせから成る管理記号によって行われる。この管理記号を、地下構造物の開口を構成する蓋受け枠側に設定する点に本発明によるシステムの特徴がある。
【０００８】
本発明のシステムによれば、蓋受け枠側に管理記号の表示部を設けることにより、マンホール等の蓋表面に形成されるデザインとの競合をなくすことができ、デザイン蓋の意匠を損うことがない。また一方では識別管理の必要上十分な数の記号を必要な大きさで表示することができるようになるので、蓋側に設けた場合に比較して、より自由な管理記号のより明確な表示が可能になる。
【０００９】
管理記号の表示部は、具体的には、蓋受け枠の上端から外方へ延び、かつ外部から目視可能な位置に設けた管理記号の表示面によって構成される。このような表示面は、例えば、蓋受け枠を構成している立ち上がり部の外方かつフランジ部の上方に設けることができる。
【００１０】
いわゆるマンホール蓋受け枠のなかには、中空な箱型の枠部を有するタイプもあるが、そのようなタイプの蓋受け枠の場合には、開口を取り囲んで形成している例えばドーナツ状の箇所を表示面とすることができる。これらの場合、表示面は、蓋受け枠の鋳造と同時に鋳造されており、表示面と蓋受け枠とは自然一体構造物となる。この例は図１、図２によって説明される。
【００１１】
しかしながら表示面を有する管理記号の表示部は、蓋受け枠と一体構造物でなくても良いのは勿論である。この場合表示面を有する管理記号の表示部は、別に形成された上で蓋受け枠に組み合わせられる。この場合についての例示は図３以下に説明される。
【００１２】
【発明の実施の形態】
以下図示の例を参照にして本発明により詳細に説明する。図１は地下構造物の内外を通じる部分であるマンホールを示しており、１１は鉄蓋、１２は蓋受け枠で、開口１３を形成している立ち上がり部１４とその下部外方に一定幅で設けられたフランジ部１５を有している。
【００１３】
鉄蓋１１は、いわゆるデザイン蓋として示されており、蓋表面には花柄の装飾１６が施されている。装飾１６は鉄蓋１１の平面形状の全面を利用してデザインされており、したがって従来のようにデザイン蓋の表面に管理記号の表示部を設けることは美的な装飾１６を損うことになる。中央部１７のような全体のバランスをくずさない箇所でも都市の紋章のように例外的なデザイン化されたもの以外は適さない。
【００１４】
そこで本発明は、地下構造物の識別管理を蓋受け枠側に設けた管理記号の表示部２０によって行うシステムを開発した。図１及び図２に示されている管理記号の表示部２０の例１は蓋受け枠１２の上端から外方へ延びかつ外部から目視可能な位置に表示面２１を有しており、そこに管理記号２２が例えばＡ１２−３４５のように設けられる。
【００１５】
例示されている表示部２０は、蓋受け枠１２と同時に鋳造されている一体構造の中空ボックス形状を有し、その上面が表示面２１となっている。表示面２１には凹部２３が設けられ、そこに管理記号２２を構成する文字や数字その他の記号類形成部２４を有する（無表示も含む）表示片２５が取り付けられる。表示片２５は取り付け手段２６として係合軸を裏面に有しており、凹部２３に形成されている係合孔２７に固定することができる。２８は防水キャップを示しており、下に突出した係合軸２６に嵌め合わせて係合孔２７の水漏れを止める。
【００１６】
この構成によって、管理記号２２は蓋受け枠１２の側に表示されることになりその表示部２０は鉄蓋１１を侵食することなく隣接しているだけであるので、デザイン蓋の装飾１６を損うこともない。管理記号２２は本来、マンホールや、ハンドホールなど地下構造物に対する進入口に対して付けられるので、取り外しが可能な蓋側に付けるよりも、設置後取り外されることが稀な枠側に付ける方が理に適っている、ということにもできよう。
【００１７】
図３以下は、管理記号の表示部３０を別体に形成し、事後、蓋受け枠１２に組み合わせる構成を持つものを示す。図３〜図６に示す例２の場合、管理記号の表示部３０は立ち上がり部１４に対する内面とフランジ部１５に対する下面を持たず、上部の表示面３１と外周面及び左右両端面を有する中空ボックス形状の部分と、その下部左右に延設した延片３２、３３とから成る。一方の延片３２には透孔３４が設けられ、他方の延片３３には下面に凸部３５が設けられている。図５及び図６参照。
【００１８】
例２の表示部３０は、内面と下面を持たないため、蓋受け枠１２の外部にリブその他の突起１８があっても取り付けの邪魔にならない、という意図の下に設計されている。また一方の延片３２の透孔３４と、他方の延片３３の凸部３５の位置は、蓋受け枠１２を据え付けるためにフランジ部１５に設けられているアンカー穴３６の位置に合致しており、凸部３５はアンカー穴３６に嵌まり込んで係合する。表示面３１が蓋受け枠上端に接して外方への拡がりを持ち、かつ管理記号２２を設けるための凹部２３を有していること、また管理記号２２のために記号類形成部２４を設けた（無表示も含む）表示片２５を凹部２３に固定することは前記例１と同様で良い。
【００１９】
管理記号の表示部３０を設置するには、一方の透孔３４をフランジ部１５のアンカー穴３６に合わせて、蓋受け枠１２を据え付ける基台や調整リングなどの据え付け部３７に植立させたアンカーボルト３８を通すとともに、前記凸部３５がアンカー穴３６に係合するように配置し、座金を入れ、ナット３９で止める方法が取られる。例２の説明から明らかなように、この方法によって取り付ける場合には、管理記号の表示部３０を蓋受け枠１２の周囲のどの位置に配置しようとも自由であることが分かる。
【００２０】
図７は、アンカーボルト３８と補助ボルト４１とを用いて、管理記号の表示部４０を取り付ける例３を示す。この場合、一方、及び他方の延片３２、３３をフランジ部１５のアンカー穴３６、３６に合わせて管理記号の表示部４０を配置するとともに、補助ボルト４１を用いて座金とナット４２により取り付け、さらに例２と同様にアンカーボルト３８に座金を入れ、ナット３９で止める方法が取られる。図８参照。なお、補助ボルト４１の頭部はフランジ部１５の厚さの中に収まるように設けられている。管理記号の表示面等については例２と同様で良いので符号を援用し詳細な説明を省略する。例３の場合にも、管理記号の表示部４０を蓋受け枠外周のどの位置に設けるかは自由に決められる。
【００２１】
図９、図１０は、アンカーボルト３８を用いずに、補助ボルト４１のみで、管理記号の表示部４０を蓋受け枠１２に取り付ける例４を示す。この場合も、管理記号の表示部４０をその一方の延片３２の透孔３４が一方のアンカー穴３６に、他方の延片３３の透孔３４′が他方のアンカー穴３６′に、夫々合致するように配置するとともに、補助ボルト４１と座金及びナット４２を用いて蓋受け枠に取り付けるものである。他の構成は例２と同様で良いので符号を援用し詳細な説明は省略する。
【００２２】
以上は発明の例示であり、本発明は様々な形態を取り得るものであるが、このような識別管理システムでは、既設の蓋受け枠の改修時に周囲を掘り返すような場合にも実施できることが明らかである。また、図１ではマンホールを例にとって説明したが、小型マンホールと呼ばれる口径４００ミリメートル程度のものやハンドホール等の場合には、より蓋面積が小さく、デザインに与える影響も大きくなるのに対して、本発明によればデザインに何も影響を及ぼすことなく地下構造物の識別管理を実施することができる。
【００２３】
【発明の効果】
本発明は以上の如く構成されかつ作用するものであるから、地下構造物への開口を閉じる蓋表面のデザインを邪魔したり、一部を消したりすることなく管理記号を設けて識別管理を施行することができるという顕著な効果を奏する。また本発明によれば、蓋側ではなく蓋受け枠側に管理記号を設ける方法を取るので、文字や記号等の個数及び大きさの制限が少なく、より自由かつ明確な表示が行えるという特徴が発揮される。
【図面の簡単な説明】
【図１】本発明に係る地下構造物の識別管理システムの実施形態の例１を示す平面説明図。
【図２】（ａ）同上のものの表示部を含む斜視図。
（ｂ）表示片取り付け部の断面図。
【図３】本発明による実施形態の例２を示す分解斜視図。
【図４】同上取り付け状態の斜視図。
【図５】（ａ）同じく例２の表示部の平面図。
（ｂ）同上の正面図。
（ｃ）同じく下面図。
【図６】（ａ）図５（ａ）におけるＶＩＡ−ＶＩＡ断面図。
（ｂ）図５（ａ）におけるＢ矢視図。
（ｃ）図５（ａ）におけるＶＩＣ−ＶＩＣ断面図。
（ｄ）図５（ａ）におけるＶＩＤ−ＶＩＤ断面図。
【図７】本発明における実施形態の例３を示す分解斜視図。
【図８】同じく取り付け状態の斜視図。
【図９】同じく実施形態の例４を示す分解斜視図。
【図１０】同じく取り付け状態の斜視図。
【図１１】従来の管理記号を有するデザイン蓋の平面図。
【符号の説明】
１１  鉄蓋
１２  蓋受け枠
１３  開口
１４  立ち上がり部
１５  フランジ部
１６  装飾
２０、３０、４０  管理記号の表示部
２１  、３１  表示面
２２  管理記号
２４  文字、数字その他の記号類形成部
２５  表示片
３２  一方の延片
３３  他方の延片
【図１】
2004204568.tif 000003
【図２】
2004204568.tif 000004
【図３】
2004204568.tif 000005
【図４】
2004204568.tif 000006
【図５】
2004204568.tif 000007
【図６】
2004204568.tif 000008
【図７】
2004204568.tif 000009
【図８】
2004204568.tif 000010
【図９】
2004204568.tif 000011
【図１０】
2004204568.tif 000012
【図１１】
2004204568.tif 000013